(57)【要約】      （修正有）【課題】眼鏡を簡単に持ち運ぶことができ、しかも、眼鏡の取り出しも素早く行える眼鏡ケース付きの物入れバッグを提供する。【解決手段】バッグ本体１の収容部を、上側のメイン収容部と、このメイン収容部の下方に中仕切り１１を介して設けられ、かつ、独立した開閉手段を有するサブ収容部Ｓとから構成する。一方、前記サブ収容部Ｓの周壁を成すバッグ本体１の中仕切り１１及びボトム部１２を、剛性材料から作製すると共に、前記サブ収容部Ｓの周壁内側にクッション材料１３を配設して当該収容部内に眼鏡Ｇをソフトに収容可能とする。【選択図】図１
0003164825.tif 000002
【実用新案登録請求の範囲】
【請求項１】
バッグ本体１の収容部を、上側のメイン収容部Ｍと；このメイン収容部Ｍの下方に中仕切り11を介して設けられ、かつ、独立した開閉手段を有するサブ収容部Ｓとから構成する一方、
前記サブ収容部Ｓの周壁を成すバッグ本体１の中仕切り11およびボトム部12を、剛性材料から作製すると共に、前記サブ収容部Ｓの周壁内側にクッション材料13を配設して当該収容部内に眼鏡Ｇをソフトに収容可能としたことを特徴とする眼鏡ケース付きの物入れバッグ。
【請求項２】
バッグ本体１のボトム部12を上蓋状の中仕切り11に回動自在にヒンジ連結してサブ収容部Ｓを開閉可能としたことを特徴とする請求項１記載の眼鏡ケース付きの物入れバッグ。
【請求項３】
バッグ本体１のボトム部12の側面に一方の掛止部材14aを取着し、かつ、対となるもう一方の掛止部材14bを、メイン収容部Ｍの外周面に固定したシート片15に取着して、これらを任意に掛け外し可能とすることによりボトム部12の開閉ストッパーを構成したことを特徴とする請求項２記載の眼鏡ケース付きの物入れバッグ。
【請求項４】
バッグ本体１のボトム部12と中仕切り11の端縁部をファスナー部材17で連結してボトム部12の開閉ストッパーを構成したことを特徴とする請求項２記載の眼鏡ケース付きの物入れバッグ。
【請求項５】
バッグ本体１のサブ収容部Ｓ内に、眼鏡ＧのレンズＬ・Ｌ間の股部に挿入して眼鏡Ｇを固定するための凸部16が設けられていることを特徴とする請求項１〜４の何れか一つに記載の眼鏡ケース付きの物入れバッグ。
【請求項６】
バッグ本体１のサブ収容部Ｓの底面に凸部16が着脱自在に固定されていることを特徴とする請求項５記載の眼鏡ケース付きの物入れバッグ。
【考案の詳細な説明】
【技術分野】
【０００１】
本考案は、物入れバッグおよび眼鏡ケースの改良、詳しくは、眼鏡を簡単に持ち運ぶことができ、しかも、眼鏡の取り出しも素早く行える眼鏡ケース付きの物入れバッグに関するものである。
【背景技術】
【０００２】
周知のとおり、老眼鏡やコンタクトレンズの使用者は、常に眼鏡を着用している必要はないものの、いざ必要なときのために眼鏡を携帯して外出することが多く、その際には、衣服のポケットや手提げバッグに眼鏡を入れて持ち運ぶ人が多い。
【０００３】
また、眼鏡を裸の状態で持ち運ぶと、物が当たって眼鏡フレームが変形したりポケットから眼鏡が落ちてレンズが傷付いたりする心配があるため、眼鏡ケースを使用することが好ましいが、眼鏡ケースを使用するとサイズが嵩張って、衣服のポケットに眼鏡を入れ難くなる。
【０００４】
一方、バッグに眼鏡ケースを入れて持ち運ぶ場合には、前述の問題はないが、今度は眼鏡を取り出す際に、バッグから眼鏡ケースを取り出す手間と、眼鏡ケースから眼鏡を取り出す手間の二手間がかかり、眼鏡を必要なときに素早く取り出すことができない。
【０００５】
他方、従来においては、バッグに中仕切りを設けた二段底のバッグも公知となっており（例えば、特許文献１〜３参照）、このようなバッグを利用して眼鏡を持ち運ぶことも考えられるが、上記文献に開示されたバッグは、収納部に眼鏡を保護する手段がないため、眼鏡が振動や衝撃で傷付く心配がある。
【先行技術文献】
【特許文献】
【０００６】
【特許文献１】実開平４−１０４９１５号公報（第11頁、第３図）
【特許文献２】実開昭６０−１０１９２３号公報（第11頁、第３図）
【特許文献３】特開２００９−２２３７２号公報（第１―１１頁、第４−６図）
【考案の開示】
【考案が解決しようとする課題】
【０００７】
本考案は、上記の如き問題に鑑みて為されたものであり、その目的とするところは、眼鏡を簡単に持ち運ぶことができ、しかも、眼鏡の取り出しも素早く行える眼鏡ケース付きの物入れバッグを提供することにある。
【課題を解決するための手段】
【０００８】
本考案者が上記課題を解決するために採用した手段を添付図面を参照して説明すれば次のとおりである。
【０００９】
即ち、本考案は、バッグ本体１の収容部を、上側のメイン収容部Ｍと；このメイン収容部Ｍの下方に中仕切り11を介して設けられ、かつ、独立した開閉手段を有するサブ収容部Ｓとから構成する一方、
前記サブ収容部Ｓの周壁を成すバッグ本体１の中仕切り11及びボトム部12を、剛性材料から作製すると共に、前記サブ収容部Ｓの周壁内側にクッション材料13を配設して当該収容部内に眼鏡Ｇをソフトに収容可能とした点に特徴がある。
【００１０】
また、本考案では、上記技術手段を採用する際、バッグ本体１のボトム部12を上蓋状の中仕切り11に回動自在にヒンジ連結してバッグ本体１のサブ収容部Ｓを容易に開閉可能とすることができる。
【００１１】
そしてまた、本考案では、上記開閉手段を採用した場合において、バッグ本体１のボトム部12の側面に一方の掛止部材14aを取着し、かつ、対となるもう一方の掛止部材14bを、メイン収容部Ｍの外周面に固定したシート片15に取着して、これらを任意に掛け外し可能とすることによりボトム部12の開閉ストッパーを構成できる。
【００１２】
また本考案では、上記手段に替えて、バッグ本体１のボトム部12と中仕切り11の端縁部をファスナー部材17で連結してボトム部12の開閉ストッパーとすることもできる。
【００１３】
他方また、本考案では、必要に応じて、バッグ本体１のサブ収容部Ｓ内に、眼鏡ＧのレンズＬ・Ｌ間の股部に挿入して眼鏡Ｇを固定するための凸部16が設けることができ、また更に、この凸部16については、バッグ本体１のサブ収容部Ｓの底面に着脱自在に固定することができる。
【考案の効果】
【００１４】
本考案においては、バッグの収容部を、それぞれ独立した開閉手段を有する上段のメイン収容部と下段のサブ収容部とから構成し、更に下段のサブ収容部を眼鏡ケースとして使用可能な構造としたことにより、メインの収納機能を損なうことなくバッグを眼鏡の携帯手段として手軽に利用することが可能となる。
【００１５】
しかも、本考案では、上記サブ収容部の周壁に剛性材料を使用すると共に、サブ収容部の周壁内側にクッション材料を配設したことにより、サブ収容部内に眼鏡をソフトに収容することができるため、衝撃や振動から眼鏡を保護して安全に持ち運びできる。
【００１６】
また、本考案では、上記バッグのボトム部に独立した開閉手段を備えたことにより、眼鏡をバッグと眼鏡ケースから二段階で取り出す必要がなく、サブ収容部を開閉して眼鏡を直接取り出すことができるため、必要なときに眼鏡を素早く取り出すことができる。
【００１７】
したがって、本考案により、眼鏡ケースをバッグと別に持ち運ぶ必要がなく、しかも、眼鏡の取り出しも容易な機能性に優れた眼鏡ケース付きの物入れバッグを提供できることから、本考案の実用的利用価値は頗る高い。
【図面の簡単な説明】
【００１８】
【図１】本考案の実施例１における手提げバッグを表わす全体斜視図である。
【図２】本考案の実施例１における手提げバッグの構造を表わす全体断面図である。
【図３】本考案の実施例１における手提げバッグの使用時の状態を表わす全体斜視図である。
【図４】本考案の実施例１における手提げバッグの使用時の状態を表わす状態説明図である。
【図５】本考案の実施例２におけるベルトポーチを表わす全体斜視図である。
【図６】本考案の実施例２におけるサブ収容部の凸部の取り付け構造を表わす説明図である。
【図７】本考案の実施例３における大型の手提げバッグを表わす全体斜視図である。
【考案を実施するための形態】
【００１９】
『実施例１』
まず、本考案の実施例１の物入れバッグについて、図１から図４に基いて説明する。同図において、符号１で指示するものはバッグ本体であり、符号２で指示するものは、把手である。
【００２０】
この実施例１では、バッグ本体１に把手２を設けた手提げバッグにおいて、バッグ本体１の収容部を、上側に開口部を有するメイン収容部Ｍと、このメイン収容部Ｍの下方に中仕切り11を介して設けたサブ収容部Ｓとから構成し、サブ収容部Ｓは眼鏡Ｇが入る大きさとしている(図１、図２参照)。
【００２１】
また実施例１では、上記バッグ本体１のボトム部12と上蓋状の中仕切り11を回動自在にヒンジ連結してサブ収容部Ｓを開閉可能としており、また、上記サブ収容部Ｓの周壁を成すバッグ本体１の中仕切り11およびボトム部12については、剛性を有するステンレス材料から作製している。
【００２２】
そしてまた、上記バッグ本体１においては、サブ収容部Ｓの周壁内側にクッション材料13を配設しており、本実施例では、このクッション材料13に起毛シート(合成樹脂シートに短繊維をフロック加工で接着したもの）を使用して周壁内側を被覆している。
【００２３】
また実施例１では、上記バッグ本体１のボトム部12の側面に一方の掛止部材14aを取着し、対となるもう一方の掛止部材14bを、メイン収容部Ｍ側に固定したシート片15に取着してこれらを任意に掛け外し可能としているため、これらを連結して図３に示す状態とすれば、ボトム部12の開閉ストッパーとして利用できる。
【００２４】
またこれによって、手提げバッグを持ち歩いている最中に衝撃等でサブ収容部Ｓが勝手に開く危険も防止できる。なお本実施例では、上記掛止部材14a・14bにスナップボタンを使用している。
【００２５】
そして、上記のように手提げバッグを構成したことにより、図４に示すようにバッグ本体１のメイン収容部Ｍに重量のある物品を入れて使用した場合でも、剛性を有する中仕切り11やボトム部12が負荷によって変形する心配はないため、サブ収容部Ｓ内の眼鏡Ｇが押し潰されて破損することはない。
【００２６】
また、手提げバッグを持ち運ぶ際の振動や、物にぶつけた際の衝撃でサブ収容部Ｓ内の眼鏡Ｇが激しく動いた場合でも、眼鏡Ｇを包囲するクッション材料13が衝突エネルギーを吸収するため、眼鏡Ｇがサブ収容部Ｓ内の振動で傷付く心配もない。
【００２７】
このように、サブ収容部Ｓの周壁とクッション材料13によって眼鏡Ｇをしっかりと保護できるため、サブ収容部Ｓを眼鏡ケースとして使用しても何ら問題を生じることはなく、また、手提げバッグのサブ収容部に独立した開閉手段を設けたことによって眼鏡Ｇの取り出しも容易に行える。
【００２８】
『実施例２』
次に、本考案の実施例２を図５〜６に基づいて以下に説明する。なお図中、符号３で指示するものはベルトループである。この実施例２では、ベルトを挿通するためのベルトループ３・３をバッグ本体１に取り付けたベルトポーチにおいて、バッグ本体１のサブ収容部Ｓ内に、眼鏡ＧのレンズＬ・Ｌ間の股部に挿入して眼鏡Ｇを固定するための凸部16を設けている(図５参照)。
【００２９】
そしてこれによって、バッグ本体１のサブ収容部Ｓ内での眼鏡Ｇのガタ付きを防止できる。また実施例２では、図６に示すように、上記バッグ本体１の凸部16をサブ収容部Ｓの内壁に面着ファスナーによって着脱自在に固定して、凸部16の取り外しや使用する眼鏡の形状に合わせた凸部16の交換を可能としている。
【００３０】
そして更に、実施例２においては、上記バッグ本体１のボトム部12と中仕切り11の端縁部にファスナー部材17を設けて双方の端縁部を連結可能としているため、このファスナー部材17をボトム部12の開閉ストッパーとして使用することができる。
【００３１】
他方また、この実施例２では、バッグ本体１の中仕切り11およびボトム部12の材質に剛性を有する肉厚のウレタン材料を使用している。
【００３２】
『実施例３』
次に、本考案の実施例４を図７に基づいて以下に説明する。この実施例４では、大型の手提げバッグにおいて、バッグ本体１のサブ収容部Ｓに仕切り材18・18…を設けて複数の眼鏡Ｇを収納可能としている(図７参照)。
【００３３】
本考案は、概ね上記のように構成されるが、本考案は図示の実施形態に限定されるものでは決してなく、「実用新案登録請求の範囲」の記載内において種々の変更が可能であって、例えば、バッグ本体１の対象は、手提げバッグやベルトポーチ以外のポシェット(ショルダーバッグ)やウェストバッグ、リュックサック等であってもよい。
【００３４】
また、バッグ本体１のクッション材料13には、起毛シート以外のエラストマー材料や発泡樹脂材料を用いることもできる。またバッグ本体１の中仕切り11やボトム部12の材質に関しても、剛性のある材質であれば、他の金属材料やプラスチック材料等を自由に選択して使用することができる。
【００３５】
そしてまた、バッグ本体１の掛止部材14a・14bに関しても、スナップボタン以外の面着ファスナーなどを使用することができ、また開閉ストッパーに磁石やバネ等の付勢手段を利用することもできる。またボトム部12の開閉構造に関しても、ヒンジ連結による開閉以外の引出し構造等を採用することもでき、何れのものも本考案の技術的範囲に属する。
【産業上の利用可能性】
【００３６】
近年、矯正用眼鏡や老眼鏡の使用者だけでなく、眼鏡をファッション用に持ち歩く若者も増えていることから、利便性に優れた眼鏡の携帯手段に対する潜在的な需要は大きいものと推測できる。
【００３７】
そのような中で、本考案の眼鏡ケース付きの物入れバッグは、バッグと共に容易に眼鏡を持ち運びできるだけでなく、眼鏡の取り出しも迅速に行える有用な技術であることから、その産業上の利用価値は非常に高い。
【符号の説明】
【００３８】
１  バッグ本体
11  中仕切り
12  ボトム部
13  クッション材料
14  掛止部材
15  シート片
16  凸部
17  ファスナー部材
18  仕切り材
２  把手
３  ベルトループ
Ｍ  メイン収容部
Ｓ  サブ収容部
Ｇ  眼鏡
Ｌ  レンズ
【図１】
0003164825.tif 000003
【図２】
0003164825.tif 000004
【図３】
0003164825.tif 000005
【図４】
0003164825.tif 000006
【図５】
0003164825.tif 000007
【図６】
0003164825.tif 000008
【図７】
0003164825.tif 000009